(57)【要約】【課題】根菜類を掘り起こし、付着した栽培土をほぐし除去して収獲する過程において、根菜類を損傷したり折損することなく、栽培土をきれいにほぐし除去することができるようにした根菜類堀取り機を提供すること。【解決手段】トラクタに牽引され後部が上方に傾斜して配設された一対の根菜類掘り起こし刃体と、該堀り起こし刃体の上方に配設されたＰＴＯに連結されて回動する一対の根菜類挟持手段とを備えてなる根菜類堀取り機において、前記根菜類挟持手段の下方及び／又は上方に前記根菜類に付着した土をほぐす一対の土ほぐし手段を回動可能に配設する。【選択図】      図１
2005052029.tif 000002
【特許請求の範囲】
【請求項１】
トラクタに牽引され後部が上方に傾斜して配設された一対の根菜類掘り起こし刃体と、該堀り起こし刃体の上方に配設されたＰＴＯに連結されて回動する一対の根菜類挟持手段とを備えてなる根菜類堀取り機において、前記根菜類挟持手段の下方及び／又は上方に前記根菜類に付着した土をほぐす一対の土ほぐし手段を回動可能に配設したことを特徴とする根菜類堀取り機。
【請求項２】
前記一対の根菜類堀り起こし刃体は正面視で逆ハの字状に形成された刃体であり、前記一対の根菜類挟持手段は無端ベントコンベアであることを特徴とする請求項１に記載の根菜類堀取り機。
【請求項３】
前記一対の土ほぐし手段はその対向間隔が前記一対の根菜類挟持手段の対向間隔より広く設定されていることを特徴とする請求項１又は請求項２に記載の根菜類堀取り機。
【請求項４】
前記土ほぐし手段は前記根菜類挟持手段と同期して回動することを特徴とする請求項１ないし請求項３のいずれかに記載の根菜類堀取り機。
【請求項５】
前記土ほぐし手段は上下方向に移動可能に設けられていることを特徴とする請求項１ないし請求項４のいずれかに記載の根菜類掘取り機。
【請求項６】
前記土ほぐし手段及び／又は前記根菜類挟持手段はその外周面が弾性部材で形成されていることを特徴とする請求項１ないし請求項５のいずれかに記載の根菜類掘取り機。
【請求項７】
前記土ほぐし手段と前記根菜類挟持手段との上下方向空間部には前記根菜類の挟持搬送方向に沿って土ほぐし用のスクレーパが延設されていることを特徴とする請求項１ないし請求項６のいずれかに記載の根菜類掘取り機。
【請求項８】
前記一対の根菜類掘り起こし刃体には土ほぐし用の縦刃が立設されていることを特徴とする請求項１ないし請求項７のいずれかに記載の根菜類掘取り機。
【請求項９】
前記根菜類は牛蒡であることを特徴とする請求項１ないし請求項８のいずれかに記載の根菜類掘取り機。
【発明の詳細な説明】
【技術分野】
【０００１】
本発明は、トラクタで牽引され、後部が上方に傾斜して配設された一対の根菜類堀り起こし刃体で根菜類を堀り起こし、掘り起こした根菜類を根菜類挟持手段により挟持、搬送して収穫するようにした根菜類掘取り機に関し、さらに詳細には、掘り起こした根菜類を損傷することなく、根菜類に付着した栽培土をきれいにほぐし除去して収穫するようにした根菜類堀取り機に関する。
【背景技術】
【０００２】
牛蒡、長芋、人参、大根等（以下「根菜類」という）は、根菜類堀取り機により掘り取られて収獲される。このような根菜類堀取り機としては種々の形態のものが知られ、実用化されているが、その一般的な構造は、トラクタによって牽引されるメインフレームに、成育した根菜類の両側部を掘削する掘削手段と、この掘削手段の後方に前部が位置し後部が上方に傾斜して配設された正面視逆ハの字状の掘り起こし刃体と、この掘り起こし刃体の後部に隣設され駆動手段により回動される無端ベルトコンベア等からなる根菜類挟持手段とを備え、前記トラクタの前進に伴い掘り起こした根菜類を挟持して後方へ搬送するようになっている。
【０００３】
このような根菜類掘取り機により根菜類を掘り取る場合には、根菜類を堀り起こしてから挟持搬送し収獲する過程で、根菜類の根や葉の部分を損傷したり、あるいは折損することのないようにして根菜類に付着した栽培土をほぐすことが行われる。いうまでもなく、損傷したり折損した根菜類は商品価値が全くなく、また、掘り取った根菜類に多量の栽培土が付着していると人手による収獲作業に支障をきたすからである。
従来、上述したような根菜類堀取り機として、特許文献１に開示された、図７に側面図で示すような根菜類堀取り機１が本出願人によって提案されている。すなわち、この根菜類掘取り機１は、トラクタ２によって矢印Ｙ１方向に牽引されるメインフレーム３に、成育した牛蒡（根菜類）４の両側部を掘削する一対の輪刀（掘削手段）５と、この輪刀５の後方に前部が位置し後部が上方に傾斜して配設され、トラクタ２のＰＴＯ軸（回転動力取出し軸）６に連結されたユニバーサルジョイント７、回転軸（入力軸）８、駆動媒体９を介して軸１０を支点に矢印Ｙ２で示す上下方向に振動される正面視逆ハの字状の一対の土掘り起こし刃（掘り起こし刃体）１１と、土掘り起こし刃１１の後部に隣設され、モータ（駆動手段）１２により回転駆動される一対の無端ベルトコンベア（根菜類挟持手段）１３と、メインフレーム３の後端側の、掘起し刃１１後端部上方に駆動媒体９を介して進行左右方向（後述する図８の矢印Ｙ３方向）に往復揺動運動される土ほぐしクリーナ１４とを備え、トラクタ２の前進に伴い掘り起こした牛蒡４を無端ベルトコンベア１３により鉛直姿勢を保った状態で上向き後方へ搬送するようにしたものでる。
なお、上記根菜類掘取り機１では一対の無端ベルトコンベア１３をモータ１２により回動させ、牛蒡４を無端ベルトコンベア１３により挟持搬送してトラクタ２の進行方向と逆方向に取り出すようになっているが、これを、例えば本出願人の出願に係わる特許文献２に開示さた根菜類掘取り機のように、ＰＴＯ軸６からの動力を回転伝達機構を介して一対の無端ベルトコンベア１３を回動させ、かつ、この無端ベルトコンベア１３の搬送方向をトラクタ２の進行方向と交差する方向に配置して牛蒡４を横方向に取り出すようにしたものも一般に知られている。
【０００４】
しかしながら、上述したような従来の根菜類堀取り機１等では、土掘り起し刃１１を上下方向に振動させることにより牛蒡４に付着した土をある程度ほぐすことは可能であるが完全とはいえず、また、土ほぐしクリーナ１４はあくまでも牛蒡４付近の栽培土のかたまりを払いのけるのものであって牛蒡に付着した土をほぐすものではないことから、とくに栽培土が粘土質で固くて大きいものであるような場合にはこの土ほぐしクリーナ１４の揺動運動による僅かな衝撃により牛蒡を折損してしまうことがあった。
【０００５】
また、図８に図７のＡ−Ａ断面矢視図で示すように、掘り起こした牛蒡４を無端ベルトコンベア１３により挟持搬送するとき、牛蒡４は上方部のみが挟持され下方部はフリー状態であったため、搬送時にこの下方部が点線（矢印Ｙ４）のように進行左右方向に振られて折損してしまうという問題があった。
【０００６】
そこで、このような問題を解消することを目的とし、特許文献３には図９に側面図で、図１０にその要部を斜視図で示すような根菜類堀取り機１Ａが本出願人によって提案されている。すなわち、この根菜類堀取り機１Ａは、図示しないトラクタにより矢印Ｙ１方向に牽引されるメインフレーム３Ａに、育成した牛蒡４Ａの両側部を掘削する一対の輪刀５Ａと、この後方に前部が位置し後部が上方に傾斜して配置され、図示しないトラクタのＰＴＯ軸に連結された回転軸８Ａ及び駆動媒体９Ａを介して軸１０Ａを支点に矢印Ｙ２方向に振動される正面視逆ハの字状の一対の掘り起こしせり上げ板（土掘起し刃）１１Ａを備えており、この点に関する限り前述した根菜類堀取り機１と共通しているが、前記土ほぐしクリーナは具備せず、これに代わり、掘り起こしせり上げ板１１Ａの後部上方に、図９に楕円で、図１０にその斜視図で示すような土ほぐし除去装置２０Ａが配設されている点で相違している。
【０００７】
この土ほぐし除去装置２０Ａは、回転軸８Ａの回転を方向転換装置２１Ａを介して一対の回転軸２２Ａ１、２２Ａ２に伝え、これらの軸に取り付けられた一対の円板２３Ａ１、２３Ａ２及びこれらに垂設された複数本の棒状部材２４Ａ１、２４Ａ２を回転させることにより、牛蒡４Ａに付着した栽培土のかたまりを破砕してほぐし、除去するように構成されている。なお、ここには、棒状部材２４Ａ１、２４Ａ２の下端に
円板２３Ａ１、２３Ａ２と同径のリング部材２５Ａ１、２５Ａ２を設けることも提案されている。
【特許文献１】実公平７−２９８０３号公報
【特許文献２】特開２０００−３０００２８号公報
【特許文献３】特開２０００−２７０６４０号公報
【発明の開示】
【発明が解決しようとする課題】
【０００８】
しかしながら、上記根菜類堀取り機１Ａによれば、土ほぐしクリーナに起因する牛蒡４Ａの損傷問題は解消されるものの、土ほぐし除去装置２０Ａの存在により、具体的には複数本からなる棒状部材２４Ａ１、２４Ａ２の回転により、牛蒡４Ａを折損させるという懸念は依然として残っていた。すなわち、牛蒡４Ａは必ずしも垂直状態で掘り起されるとは限らず、時には傾いた状態で掘り起こされ、この状態で土ほぐし除去装置２０Ａに送られることがあり、このような場合には対向して回転する円板２３Ａ１、２３Ａ２及びこれらに垂設された複数本の棒状部材２４Ａ１、２４Ａ２により牛蒡４Ａの下方部分が折損されてしまうという問題があった。なお、このときリング部材２５Ａ１、２５Ａ２を設けて牛蒡４Ａの姿勢を正すことが考えられるが、牛蒡４Ａに粘土質の固くて大きな土のかたまりが付着していた場合には、棒状部材２４Ａ１、２４Ａ２の回転によりこの土が破砕されると同時に、その衝撃により牛蒡が折損してしまうという問題があった。数多い根菜類のうち、とくに牛蒡４Ａは折損し易いため、改良が加えられたとはいえ、このような根菜類堀取り機１Ａによっても、なお、根菜類を損傷したり、破損することなく、付着した栽培土をきれいにほぐし除去して収獲をすることはできなかった。
【０００９】
本発明はこのような実情に鑑みなされたもので、その目的とするところは、根菜類を掘り起こし、付着した栽培土をほぐし除去して収獲する過程において、根菜類を損傷したり折損することなく、栽培土をきれいにほぐし除去することができるようにした根菜類堀取り機を提供することにある。
【課題を解決するための手段】
【００１０】
本発明の上記目的は、トラクタに牽引され後部が上方に傾斜して配設された一対の根菜類掘り起こし刃体と、該堀り起こし刃体の上方に配設されたＰＴＯに連結されて回動する一対の根菜類挟持手段とを備えてなる根菜類堀取り機において、前記根菜類挟持手段の下方及び／又は上方に前記根菜類に付着した土をほぐす一対の土ほぐし手段を回動可能に配設したことを特徴とする根菜類堀取り機を提供することにより達成される。
【００１１】
また、本発明の上記目的は、前記一対の根菜類堀り起こし刃体は正面視で逆ハの字状に形成された刃体であり、前記一対の根菜類挟持手段は無端ベントコンベアであることを特徴とする根菜類掘取り機を提供することにより、効果的に達成される。
【００１２】
また、本発明の上記目的は、前記一対の土ほぐし手段はその対向間隔が前記一対の根菜類挟持手段の対向間隔より広く設定されていることを特徴とする根菜類掘取り機を提供することにより、効果的に達成される。
また、本発明の上記目的は、前記土ほぐし手段は前記根菜類挟持手段と同期して回動することを特徴とする根菜類掘取り機を提供することにより、効果的に達成される。
また、本発明の上記目的は、前記土ほぐし手段は上下方向に移動可能に設けられていることを特徴とする根菜類掘取り機を提供することにより、効果的に達成される。
【００１３】
また、本発明の上記目的は、前記土ほぐし手段及び／又は前記根菜類挟持手段はその外周面が弾性部材で形成されていることを特徴とする根菜類掘取り機を提供することにより、効果的に達成される。
【００１４】
また、本発明の上記目的は、前記土ほぐし手段と前記根菜類挟持手段との上下方向空間部には前記根菜類の挟持搬送方向に沿って土ほぐし用のスクレーパが延設されていることを特徴とする根菜類掘取り機を提供することにより、効果的に達成される。
【００１５】
また、本発明の上記目的は、前記一対の根菜類掘り起こし刃体には土ほぐし用の縦刃が立設されていることを特徴とする根菜類掘取り機を提供することにより、効果的に達成される。
【００１６】
さらにまた、本発明の上記目的は、前記根菜類は牛蒡であることを特徴とする根菜類掘取り機を提供することにより、効果的に達成される。
【発明の効果】
【００１７】
本発明に係わる根菜類掘取り機では、根菜類挟持手段の下方及び／又は上方に根菜類に付着した土をほぐす一対の土ほぐし手段を回動可能に配設してあるので、掘り起こした根菜類を根菜類挟持手段と土ほぐし手段の両手段により常に垂直方向の姿勢を保たったまま搬送することができ、また搬送に際し、両手段により根菜類に付着した栽培土を（この土がたとえ粘土質の大きなかたまりであっても）きれいにほぐして除去することができる。
【００１８】
とくに、前記一対の根菜類堀り起こし刃体を正面視で逆ハの字状に形成した刃体とすると共に、前記一対の根菜類挟持手段を無端ベントコンベアで具体的に構成することにより、上記効果を一層発揮することができる。
【００１９】
また、前記一対の土ほぐし手段の対向間隔を前記一対の根菜類挟持手段の対向間隔より広く設定することにより、根菜類をより安定して搬送することができ、この搬送過程において付着した栽培土をよりきれいにほぐして除去することができる。
【００２０】
また、前記土ほぐし手段を前記根菜類挟持手段と同期して回動させることにより、動力源を共通化することができ、かつ搬送時において根菜類の上方部と下方部に位相差を生じることがなく、根菜類をスムーズに搬送することができる。
【００２１】
また、前記土ほぐし手段を上下方向に移動可能に設けることにより、根菜類の種類や成育状況、あるいは栽培土の性質等により前記土ほぐし手段の位置を所望の位置に設定することができ、最適な条件で根菜類を掘り取り、収獲することができる。
【００２２】
また、前記土ほぐし手段及び／又は前記根菜類挟持手段の外周面を弾性部材で形成することにより、栽培土に大きな衝撃を与えず、また根菜類をソフトに挟持して搬送することができ、これにより根菜類の損傷や折損を防止することができる。
【００２３】
また、前記土ほぐし手段と前記根菜類挟持手段との上下方向空間部に前記根菜類の挟持搬送方向に沿った土ほぐし用のスクレーパを延設すること、及び／又は、前記一対の根菜類掘り起こし刃体に土ほぐし用の縦刃を立設することにより、上記効果を一層顕著に発揮することができる。とくに、縦刃を設けることにより、根菜類が前記根菜類挟持手段及び前記土ほぐし手段に進入する前に大きな栽培土のかたまりを破砕することができ、これにより両手段の根菜類に与える衝撃を減少させることができる。
【００２４】
さらにまた、本根菜類堀取り機は、とくに折損し易い牛蒡を堀り取る場合に用いると顕著な効果を奏する。
【００２５】
以下、本発明の内容を根菜類が牛蒡である場合を例に詳述するが、本発明は必ずしもこのような実施例に限定されるものではなく、特許請求の範囲を逸脱しない範囲において種々の変更が可能であることはいうまでもない。
【発明を実施するための最良の形態】
【００２６】
図１は、本発明の一実施例である牛蒡堀取り機（以下、「本堀取り機」という）１０１の側面図である。なお、本堀取り機１０１の本体は、図５に基き説明した従来の根菜類堀取り機１の構成要素の一部を除き、その基本的な骨格を共通にしている。
すなわち、本堀取り機１０１は、トラクタ１０２によって矢印Ｙ１方向に牽引されるメインフレーム１０３に、成育した牛蒡１０４の両側部を掘削する一対の輪刀１０５ａ、１０５ｂと、この後方に前部が位置し後部が上方に傾斜して配設され、トラクタ１０２のＰＴＯ軸１０６に連結されたユニバーサルジョイント１０７、回転軸１０８、駆動媒体１０９を介して軸１１０を支点に矢印Ｙ２で示す上下方向に振動される正面視逆ハの字状の一対の土掘り起こし刃１１１ａ、１１１ｂと、この後部上方に隣設され、回転軸１０８からの回転力が、ベルト１１４、回転軸１１５、ユニバーサルジョイント等からなる公知の動力伝達手段１１６、回転軸１１７、スプロケット１１８、チェーン１１９を介して一対のベルトプーリ１２０ａ、１２０ｂに与えられ、これにより矢印方向に回転駆動される一対の無端ベルトコンベア１２１ａ、１２１ｂとを備えてなるもので、トラクタ１０２の前進に伴い一対の輪刀１０５及び土掘り起こし刃１１１で掘り起こした牛蒡１０４を一対の無端ベルトコンベア１２１ａ、１２１ｂにより鉛直姿勢を保った状態で挟持して後方へ搬送するようにしたものでる。なお、本堀取り機１０１は前述したような土ほぐしクリーナを具備していない点で前記根菜類堀取り機１と相違している。
図２は図１におけるＢ−Ｂ矢視図で、一対の土掘り起こし刃１１１ａ、１１１ｂに隣設された一対の無端ベルトコンベア１２１ａ、１２１ｂを上方から見たものであり、図３は図２におけるＣ−Ｃ矢視図で、本発明の要部である無端ベルトコンベア１２１ａ、１２１ｂの入口側の構造をトラクタ１０２の反進行方向から拡大して見たものである。
無端ベルトコンベア１２１ａ、１２１ｂは、入口側に支軸１２２ａ、１２２ｂに装着されたベルトプーリ１２３ａ、１２３ｂが設けられ、出口側に設けられた前記ベルトプーリ１２０ａ、１２０ｂ間にはコンベアベルト１２４ａ、１２４ｂが懸架されている。上述したように、コンベアベルト１２４ａ、１２４ｂはトラクタ１０２のＰＴＯ軸１０６から上記各種の動力伝達機構を介してベルトプーリ１２０ａ、１２０ｂに伝達される回転力により回動される。なお、一対の無端ベルトコンベア１２１ａ、１２１ｂは、夫々支持フレーム１２５ａ、１２５ｂにより支持され、この支持フレーム１２５ａ、１２５ｂはアーム１２６ａ、１２６ｂを介して本体のメインフレーム１０３の後端部に固定されている。
図３に示すように、入口側のベルトプーリ１２０ａ、１２０ｂの支軸１２２ａ、１２２ｂには栽培土をほぐすための一対の土ほぐしホイール１２６ａ、１２６ｂがベルトプーリ１２０ａ、１２０ｂの上方に、また、同様な一対の土ほぐしホイール１２７ａ、１２７ｂがベルトプーリ１２０ａ、１２０ｂの下方に夫々対向して装着されている。
ここにベルトプーリ１２０ａ、１２０ｂ及び土ほぐしホイール１２６ａ、１２６ｂ、１２７ａ、１２７ｂの外周部はゴムあるいは柔軟なプラスチック材等からなる弾性部材で形成され、根菜類１０４の挟持搬送時に強く挟持しないようにすると共に、栽培土に強度の衝撃を与えないように配慮されている。また、図３に示すように、土ほぐしホイール１２６ａ、１２６ｂの対向間隔をＷ１、土ほぐしホイール１２７ａ、１２７ｂの対向間隔をＷ２、ベルトプーリ１２０ａ、１２０ｂの対向間隔をＷとすると、Ｗ１、Ｗ２＞Ｗとなるように設定されている。このように各間隔を設定することにより、掘り起こした牛蒡１０４の姿勢を土ほぐしホイール１２６ａ、１２６ｂ、１２７ａ、１２７ｂにより常に垂直に保持しながら無端ベルトコンベア１２１ａ、１２１ｂで挟持し搬送することができる。ここに、間隔Ｗ、Ｗ１、Ｗ２は夫々外径の異なる種々のベルトプーリ、ないし土ほぐしホイールを予め準備しておき、堀取り条件等により適宜なものを選定し使用することにより所望の幅に調整することができる。
なお、上方の土ほぐしホイール１２６ａ、１２６ｂは、必要に応じ、例えば根菜類の種類や成育状況、あるいは栽培土の状況等に応じ、省略して下方の土ほぐしホイール１２７ａ、１２７ｂのみとすることも可能であり、またこの逆とすることも可能である。
また、土ほぐしホイール１２６ａ、１２７ａ及び１２６ｂ、１２７ｂは夫々支軸１２２ａ及び１２２ｂに沿って上下方向に移動可能に設けられており、これにより上述したような根菜類の種類や成育状況、あるいは栽培土の状況等により、設置位置を任意に変えて掘り起した牛蒡１０４に付着した栽培土をほぐすことができる。
図４は以上のとおり構成された本根菜類堀取り機１０１要部、すなわち無端ベルトコンベア１２１ａ部分の側面図であり、土掘り起こし刃１１１ａにより掘り起された牛蒡１０４が無端ベルトコンベア１２１ａにより挟持され搬送されて行く様子を示したものである。
以上、本発明の内容を一実施例に基き説明したが、本発明はその構成を次のように変更することが可能である。
図５はその変更例を示す斜視図で、上記無端ベルトコンベア１２１ａ、１２１ｂの下方にのみ土ほぐしホイール１２７ａ、１２７ｂを設け、かつ、ベルトプーリ１２０ａと土ほぐしホイール１２７ａの上下方向の空間部に長尺状の薄板からなる土ほぐし用のスクレーパ１２８を牛蒡１０４の搬送方向に延設したものである。このようなスクレーパ１２８を設けると、牛蒡１０４を挟持搬送する間においても、牛蒡１０４に付着した栽培土をかき取ることができ、ほぐし効果を助長することができる。なお、このスクレーパ１２８は、必要に応じ、ベルトプーリ１２０ｂと土ほぐしホイール１２７ｂの上下方向の空間部に設けるようにしてもよい。
また、本発明に適用される土ほぐしホイール１２６ａ、１２６ｂ、１２７ａ、１２７ｂの形状は必ずしも円板状に限らず、例えば図６（ａ）〜（ｇ）に平面形状で示すような多角形状、ないし模様状のものとすることも可能である。
また、図３に仮想線で示すように、一対の土掘り起こし刃１１１ａ、１１１ｂの長さ方向中央部付近より長尺状の薄板からなる縦刃１２９を立設すると、牛蒡１０４に付着した、とくに粘土質の固くて大きい土のかたまりをこの縦刃１２９により破砕することができ、これにより無端ベルトコンベア１２１ａ、１２１ｂへの負荷を軽減させることができる。
さらにまた、前記実施例では一対の無端ベルトコンベア１２１ａ、１２１ｂの駆動源をＰＴＯ軸から取ったが、これを単独に設けたモータから取るようにすることも可能である。
本根菜類堀取り機は以上とおり構成されており、上述したように、本発明に係わる本根菜類堀取り機によれば、根菜類に付着した栽培土をほぐし除去して収獲する過程において、根菜類を損傷したり折損することなく、栽培土をきれいにほぐし除去することができるという実用上顕著な効果を奏するものである。
【産業上の利用可能性】
【００２７】
本発明は、牛蒡に限らず、大根、人参、長芋等の種々の根菜類の堀取りに適用できるが、とくに折損し易い牛蒡の堀取りに適用すると顕著な効果が得られる。
【図面の簡単な説明】
【００２８】
【図１】本発明の一実施例である牛蒡堀取り機の側面図である。
【図２】図１のＢ−Ｂ矢視図である。
【図３】図２のＣ−Ｃ矢視図である。
【図４】牛蒡の堀取り搬送状態を示す側面図である。
【図５】本発明の要部の変更例を示す斜視図である。
【図６】土ほぐしホイールの種々の形状を示す平面図である。
【図７】従来の根菜類堀取り機の側面図である。
【図８】図７のＡ−Ａ断面矢視図である。
【図９】従来の他の根菜類堀取り機の側面図である。
【図１０】図９の要部斜視図である。
【符号の説明】
【００２９】
１、１０１                  根菜類（牛蒡）堀取り機
２、１０２                  トラクタ
３、１０３                  メインフレーム
４、１０４                  根菜類（牛蒡）
５、１０５                  掘削手段（輪刀）
６、１０６                  ＰＴＯ軸
１１、１１１                掘り起こし刃体（土掘起し刃）
１２０ａ、１２０ｂ          ベルトプーリ
１２１ａ、１２１ｂ          無端ベルトコンベア
１２６ａ、１２６ｂ          土ほぐしホイール  
１２７ａ、１２７ｂ          土ほぐしホイール  
１２８                      スクレーパ
１２９                      縦刃
【図１】
2005052029.tif 000003
【図２】
2005052029.tif 000004
【図３】
2005052029.tif 000005
【図４】
2005052029.tif 000006
【図５】
2005052029.tif 000007
【図６】
2005052029.tif 000008
【図７】
2005052029.tif 000009
【図８】
2005052029.tif 000010
【図９】
2005052029.tif 000011
【図１０】
2005052029.tif 000012